(57)【特許請求の範囲】
【請求項１】
セクタの開始マーク、トラック番号、セクタ番号等の情報が媒体製造時にピットで形成されたヘッダ領域とピットが無く情報の記録と再生の両方が可能なデータ領域とで構成される情報書換え可能な記録再生用のトラック領域と、前記ヘッダ領域と共にデータ領域の情報も媒体製造時にピットで形成され情報の書換えができない再生専用のトラック領域とが、１枚の媒体に混在する光学式記録媒体に対して情報の再生を行う光学式情報再生装置において、
情報再生時における半導体レーザの発光量の目標値については初期設定時におけるフォーカスサーボ動作前において高周波重畳電流を半導体レーザに供給することを条件として設定し、前記記録再生用のトラック領域を照射する際の半導体レーザの発光量の目標値についてはテスト領域内において設定するようにして、前記半導体レーザの発光量を所定の値に保つ発光量制御を行う半導体レーザ出力制御手段を備え、
前記半導体レーザ出力制御手段は、前記記録再生用のトラック領域を照射する際の半導体レーザの発光量の目標値を装着された媒体に対応した所定値に設定し、前記再生専用のトラック領域を照射する際の半導体レーザの発光量の目標値を、光学ヘッドを記録再生用のトラック領域から再生専用のトラック領域へ移動後に、光学ヘッドの移動開始前に半導体レーザへ供給した駆動電流と同じ値の駆動電流を半導体レーザへ供給した状態で該半導体レーザの発光量を検出し、この検出結果に基づいて値を設定することを特徴とする光学式情報再生装置。
【請求項２】
前記半導体レーザ出力制御手段は、光学ヘッドを記録再生用のトラック領域から再生専用のトラック領域へ移動後に行う半導体レーザの発光量の検出を、再生専用のトラック領域のヘッダ領域の情報を再生してから所定時間後に行うことを特徴とする請求項１に記載の光学式情報再生装置。
【発明の詳細な説明】
【０００１】
【産業上の利用分野】
本発明は、記録媒体に半導体レーザからの光を照射して情報の再生を行う光学式情報再生装置に関し、特に情報の書換えが可能な記録再生用データ領域と記録媒体製造時にピットで情報が形成され情報の書換えができない再生専用データ領域とが１枚の媒体中に混在している光学式記録媒体の情報を再生する光学式情報再生装置における半導体レーザの発光量の制御手段に関する。
【０００２】
【従来の技術】
光学的に情報の再生を行う光学式情報再生装置において、記録媒体として例えば光ディスクが用いられるが、光ディスクには情報が予め記録されて再生のみが可能なものと記録と再生の両方が可能なものとがある。
【０００３】
情報の記録と再生の両方が可能な光ディスクのうち、ＩＳＯ規格に準じた連続溝方式のものとしては、ディスクの全面に渡って情報の記録再生が可能なデータ領域を有する全面書換え形（Fully Rewritable）のディスクと、ディスクの製造時に成形によって情報がピット（孔）で形成され情報の再生のみが可能なデータ領域と情報の記録再生が可能なデータ領域の２種類のデータ領域が１枚のディスクに混在する部分エンボス形（Partially Embossed）のディスクとが一般に用いられている。
【０００４】
前記光ディスクの記録面上には複数のトラックが形成されており、ディスクのデータ領域は所定のトラック数に分割され、各トラックは所定のセクタ数に分割されている。各セクタは、先頭部にセクタの開始マーク、トラック番号、セクタ番号等の情報をディスクの製造時にピットで形成したヘッダ領域が設けられ、その後にデータが記録されるデータ領域が設けられている。データ領域としては、部分エンボス形ディスクの場合には、前記ヘッダ領域と同様に情報がピットで記録され情報の再生のみが可能な再生専用データ領域か、または光磁気方式等によって情報の書換えと再生とを行うことができる記録再生用データ領域（以下、ユーザデータ領域とも称する）が設けられる。
【０００５】
このような構成の光ディスクにおいて、光磁気方式のディスクの場合は、情報の記録再生が可能なユーザデータ領域の情報再生はカー効果を利用して行われているが、再生信号は微弱でＣ／Ｎも余り高くない。
【０００６】
Ｃ／Ｎを良くし情報を正確に再生するためには、少しでも再生時の媒体へ照射するレーザ光のパワーを高くしたいが、パワーを上げると記録済みの情報が情報再生のために照射されるレーザの熱によって劣化して行くため、ユーザデータ領域の情報の再生時における半導体レーザの照射パワーの適正範囲は非常に狭くなっている。
【０００７】
半導体レーザは、個々の特性の初期ばらつきが大きい上に、温度や時間とともに特性が変化するため、安定して所定のパワーで発光させるための発光量制御が必要である。半導体レーザの発光量制御回路としては、例えば特開昭６２−２８１４８５号公報に開示されているように、実際の半導体レーザの発光量を検出して目標発光量との誤差がゼロとなるように半導体レーザの駆動電流を調整し、半導体レーザが所定の目標パワーで安定に発光するように制御するものなど、種々のものが提案されている。
【０００８】
ところで、光学式情報再生装置の場合は、ディスクの情報記録面にレーザ光を照射し、情報記録面の反射光を光検出器で受けて情報を再生しているが、ディスクからの反射光が半導体レーザに所定量以上戻ってしまうと発光が不安定になったり、再生信号のノイズが増えたりすることが知られている。
【０００９】
光磁気方式による情報記録再生装置の場合には、光ディスクに記録された情報マークを偏光面の回転として検出するため、記録再生用の光学系の構成において偏光ビームスプリッタと１／４波長板の組み合わせによってディスクからの戻り光が半導体レーザに戻らないようにするアイソレータ光学系を使用することができない。従って、前述の戻り光による不具合を解決するためには、例えば特公昭５９−９０８６号公報に開示されているような高周波重畳を行って戻り光の影響を低減する手段により、情報の再生時に半導体レーザの駆動電流に高周波電流を重畳することによって出射光と戻り光の干渉をキャンセルするなどの方法が採用されている。
【００１０】
最近の光ディスク情報再生装置は、情報の記録再生をより高速に行うためピックアップ装置の小型軽量化が進められ、対物レンズ，対物レンズを上下方向及びディスクの半径方向に移動可能なアクチュエータ，プリズム等で構成される可動部と、半導体レーザ，コリメータレンズやプリズム等で構成される光学部品，及び戻り光から信号を取り出す光検出器等で構成される固定部とに分離された分離光学系で構成されるピックアップ装置が採用されるようになっている。すべての光学部品が可動部に一体的に配設された構成の場合には半導体レーザとディスクの反射面との距離が一定であったが、分離光学系では、可動部がディスクの半径方向に移動することによって、半導体レーザとディスクの反射面との距離が変動することになる。従って、分離光学系の装置では前述のような高周波重畳を行っても戻り光と出射光との干渉を完全にキャンセルさせることができなくなり、情報がピットで記録されているヘッダ領域と、ピットが無いランド部に光磁気方式等によって情報の記録と再生とを行うことが可能なユーザデータ領域とでは半導体レーザへの戻り光量が変化する。このため、半導体レーザへの供給電流が一定になるように制御していても半導体レーザの出射光量が変わってしまうことが起こるようになった。
【００１１】
実際に出射光と戻り光が干渉するような装置を用いて半導体レーザへの戻り光量を変化させて測定した場合の半導体レーザのＩ−Ｐ特性（駆動電流−出射光量特性）の例を図７に示す。半導体レーザのＩ−Ｐ特性は戻り光量が変化すると傾斜が変化し、レーザ駆動電流をＩｃ一定にしたときのレーザ出射光量は、戻り光量の増加に伴ってＰ1 からＰ3 に増加する。すなわち、半導体レーザは戻り光量の変化に応じて出射光量が変化する場合がある。
【００１２】
ディスクから半導体レーザへの戻り光は、情報がピットで記録されているヘッダ領域とピットが無い記録再生が可能なユーザデータ領域とでは、ヘッダ領域では回折の影響があるためユーザデータ領域より少なくなり、ピットが無いユーザデータ領域では戻り光が多くなる。
【００１３】
半導体レーザへ供給する駆動電流を一定として、光磁気方式のディスクにトラッキングサーボをかけた状態でレーザ光を照射した場合に、半導体レーザの出射光量を光検出手段によって検出すると、半導体レーザは図７に示したようにレーザに戻る光量が変わることにより出射光量が変化するため、図８に示すように、半導体レーザの出射光量Ｐは戻り光の少ないヘッダ領域の方が戻り光の多いユーザデータ領域より低くなる現象が観測されることがある。
【００１４】
そこで、本出願人は特願平５−２７５５９４号において、半導体レーザの発光量を所定の値に保つ発光量制御を行うために実際の半導体レーザの発光量を検出する場合に、戻り光量によって変動する半導体レーザの発光量の検出を、情報がピットで記録されたヘッダ領域では行わず、ピットの無い情報記録再生用のユーザデータ領域で行うようにして半導体レーザの発光量制御を行うことにより、記録媒体から半導体レーザへの戻り光があっても情報の書換えと再生を行うユーザデータ領域において最適の発光量となるよう制御することが可能な光学式情報再生装置を提案している。
【００１５】
【発明が解決しようとする課題】
光学式情報再生装置において前述した部分エンボス形の光ディスクを使用する場合について考える。
【００１６】
図２に部分エンボス形の光ディスクにおける記録面上の各領域の概略構成例を示す。部分エンボス形の光ディスク５１には、記録面に複数のトラック５２が設けられ、所定のトラック数に分割されている。光ディスク５１は、情報がピットで記録され情報の再生のみが可能な再生専用データ領域が形成されたトラック領域Ａと、光磁気方式等によって情報の記録と再生とが可能な記録再生用データ領域が形成されたトラック領域Ｂとを有して構成されている。トラック領域Ａには、トラック上の各セクタにおいて、先頭部にセクタマークやセクタ番号等の情報がピットで形成されたヘッダ領域５３が設けられ、その後部にヘッダ領域と同様に情報がピットで記録された再生専用データ領域５４が設けられている。トラック領域Ｂには、トラック上の各セクタにおいて、先頭部にトラック領域Ａと同様に情報がピットで形成されたヘッダ領域５３が設けられ、その後部にピットが形成されておらず情報の記録と再生が可能な記録再生用データ領域（ユーザデータ領域）５５が設けられている。
【００１７】
このような構成の部分エンボス形の光ディスクを使用する装置において、前述した特願平５−２７５５９４号における発光量制御を適用させた場合には、記録と再生が可能なトラック領域Ｂでは、半導体レーザの発光量をピットの無いユーザデータ領域でのみ検出するか、ピットのあるヘッダ領域で検出したと想定される発光量のデータを除去してユーザデータ領域における発光量を算出することにより、ユーザデータ領域での半導体レーザの発光量を所定の値に保つ発光量制御を正確に行うことができる。これにより、高精度の発光量制御が必要となるユーザデータ領域において正確かつ最適な発光量制御か可能であり、データの劣化や誤再生を防止できる。
【００１８】
一方、再生のみが可能なトラック領域Ａでは、ヘッダ領域だけではなくヘッダ領域の後に続く再生専用データ領域にも連続してピットが形成され、発光量制御のために半導体レーザの発光量検出を行う領域であるピットの無いユーザデータ領域は存在しないため、少なくとも情報再生専用のトラック領域Ａにレーザ光を照射しているときはピットの無いユーザデータ領域からの半導体レーザの発光量検出はできなくなる。このため、トラック領域Ａにおいてはトラック領域Ｂと同様な発光量制御を行うことができない。
【００１９】
半導体レーザの発光量検出動作を停止したままにして半導体レーザへ供給する駆動電流値を更新しないようにすると、装置内部の温度が変化した場合には半導体レーザの特性が変わって駆動電流に対する出射光量が変化し、出射パワーを所定値に維持することができなくなる。このため、再生のみが可能なトラック領域Ａにレーザ光を照射しているときにおいても、所定時間毎に半導体レーザの発光量の検出を行い、目標光量との誤差がゼロとなるように半導体レーザへの供給電流を増減する必要がある。
【００２０】
しかし、再生専用のトラック領域Ａにおいて記録再生用のトラック領域Ｂの場合と同様にヘッダ領域のみを避けて半導体レーザの発光量検出を行うと、トラック領域Ａ中の再生専用データ領域では、トラック領域Ｂ中のピットの無いユーザデータ領域とは半導体レーザへの戻り光量が異なるため、ユーザデータ領域での発光量とは異なる発光量の値が検出されることになる。このため、半導体レーザの発光量制御のために発光量検出を行う際、情報がピットで形成され回折により戻り光が少なくなる再生専用データ領域において半導体レーザの発光量検出を行った場合には、ピットの無いユーザデータ領域で発光量検出を行って目標発光量に対して誤差がないように駆動電流が調整されている場合でも発光量が低いと判断してしまうことになる。
【００２１】
この場合、再生専用のトラック領域Ａにピックアップが位置し半導体レーザからのレーザ光がトラック領域Ａのトラックに連続して照射されているときは、前記判断に基づいて半導体レーザに供給する電流量を増加させることによってトラック領域Ａにおいて目標発光量との誤差が少なくなるように発光量制御がなされる。ところが、このように半導体レーザへの供給電流量を増加させた後にピックアップをトラック領域Ａから記録再生用のトラック領域Ｂに移動させると、変更後の駆動電流量で半導体レーザから出射されたレーザ光は、トラック領域Ａと同様にピットがあるヘッダ領域では最適の発光量になっているが、ランド部のユーザデータ領域ではピットによる回折が無い分戻り光量が多くなって発光量が所定の目標値よりも高くなってしまい、強いパワーのビームによってユーザの記録した情報が劣化を起こす恐れがある。
【００２２】
また、前述のディスクの場合とは逆に、ピットのある領域の方がピットが無いユーザデータ領域より戻り光が大きいディスクの場合には、再生専用のトラック領域Ａで発光量検出を行うと目標発光量より高いと判断され、半導体レーザへの供給電流を減少するように発光量制御がなされるが、その後ピックアップを記録再生用のトラック領域Ｂに移動させると、変更後の駆動電流量で半導体レーザから出射されたレーザ光は、ユーザデータ領域では所定の目標発光量より低くなり、これによりＣ／Ｎが劣化し情報を読めなくなる恐れがある。
【００２３】
さらに、前記のように再生専用のトラック領域Ａで発光量検出を行って半導体レーザへの供給電流量を調整した場合には、記録再生用のトラック領域Ｂへピックアップを移動した後に、変更した半導体レーザへの供給電流量をトラック領域Ｂのユーザデータ領域において適した値に戻し最適な発光量となるように修正するための制御が必要であるが、これには所定の時間が必要であり、半導体レーザのパワーの修正期間中は記録動作のできない回転待ち状態になるので、この待ち時間のために転送レートが下がり装置の動作性能が低下してしまう問題点がある。
【００２４】
一方、再生専用のトラック領域Ａにおいて発光量検出を行って発光量制御を行うと前述のような問題点が生じるため、トラック領域Ａのトラックにレーザ光を照射しているときは半導体レーザの発光量検出を停止させ、装置内部の温度変化をモニタしておき、所定値以上の温度変化が検出された場合や所定時間以上が経過した場合には、ピックアップを記録再生用のトラック領域Ｂに移動させ、ユーザデータ領域において発光量検出を行って半導体レーザの発光量を制御することが考えられる。この場合は、ピックアップをトラック領域Ａからトラック領域Ｂに移動させた直後にもユーザデータ領域において半導体レーザが不適なパワーになることはない。
【００２５】
しかし、このような制御では、ピックアップを再生専用のトラック領域Ａと記録再生用のトラック領域Ｂとの間で移動させる動作が必要であり、この動作のために本来は不要であった所定の待ち時間が追加して必要となるため、やはり転送レートが下がり装置の動作性能が低下してしまう問題点がある。
【００２６】
本発明は、これらの事情に鑑みてなされたもので、情報の書換えが可能な記録再生用データ領域と記録媒体製造時にピットで情報が形成され情報の書換えができない再生専用データ領域とが１枚の媒体中に混在している光学式記録媒体を用いた場合において、記録媒体より半導体レーザへの戻り光があっても情報の記録再生が可能なユーザデータ領域において最適の再生パワーとなるよう正しい発光量制御が可能であり、半導体レーザのパワーが高くなって記録済みのデータを劣化させたり、パワーが低くなって情報を誤って再生したりすることを防止でき、さらに動作時に待ち時間が発生して装置の動作性能が低下することを防止できる光学式情報再生装置を提供することを目的としている。
【００２７】
【課題を解決するための手段】
本発明による第１の光学式情報再生装置は、セクタの開始マーク、トラック番号、セクタ番号等の情報が媒体製造時にピットで形成されたヘッダ領域とピットが無く情報の記録と再生の両方が可能なデータ領域とで構成される情報書換え可能な記録再生用のトラック領域と、前記ヘッダ領域と共にデータ領域の情報も媒体製造時にピットで形成され情報の書換えができない再生専用のトラック領域とが、１枚の媒体に混在する光学式記録媒体に対して情報の再生を行う光学式情報再生装置において、情報再生時における半導体レーザの発光量の目標値については初期設定時におけるフォーカスサーボ動作前において高周波重畳電流を半導体レーザに供給することを条件として設定し、前記記録再生用のトラック領域を照射する際の半導体レーザの発光量の目標値についてはテスト領域内において設定するようにして、前記半導体レーザの発光量を所定の値に保つ発光量制御を行う半導体レーザ出力制御手段を備え、前記半導体レーザ出力制御手段は、前記記録再生用のトラック領域を照射する際の半導体レーザの発光量の目標値を装着された媒体に対応した所定値に設定し、前記再生専用のトラック領域を照射する際の半導体レーザの発光量の目標値を、光学ヘッドを記録再生用のトラック領域から再生専用のトラック領域へ移動後に、光学ヘッドの移動開始前に半導体レーザへ供給した駆動電流と同じ値の駆動電流を半導体レーザへ供給した状態で該半導体レーザの発光量を検出し、この検出結果に基づいて値を設定することを特徴とする。
また、本発明の第２の光学式情報再生装置は、前記第１の光学式情報再生装置において、前記半導体レーザ出力制御手段は、光学ヘッドを記録再生用のトラック領域から再生専用のトラック領域へ移動後に行う半導体レーザの発光量の検出を、再生専用のトラック領域のヘッダ領域の情報を再生してから所定時間後に行うことを特徴とする。
【００２９】
【実施例】
以下、図面を参照して本発明の実施例を説明する。
図１ないし図５は本発明の第１実施例に係り、図１は光学式情報再生装置における半導体レーザの出力制御手段の構成を示すブロック図、図２は本実施例の装置で使用する部分エンボス形の光ディスクにおける記録面上の各領域の概略構成を示す説明図、図３はピックアップ部の構成を示す構成説明図、図４はトラックジャンプ動作を行う際の発光量検出状態を示す動作説明図、図５は記録と再生が可能なトラック領域Ｂと再生のみが可能なトラック領域Ａとにおける半導体レーザの発光量を示す動作説明図である。
【００３０】
本実施例の光学式情報再生装置は、レーザ光を発光する半導体レーザ（ＬＤとも称する）１と、半導体レーザ１の出射光の一部が入射するフォトダイオード２及びフォトダイオード２の出力電流を電圧に変換するＩ−Ｖ変換器３を有する光検出手段４とをピックアップ部に備えており、前記半導体レーザ１の発光量を制御する半導体レーザ出力制御手段として図１に示すような構成の回路が設けられている。
【００３１】
半導体レーザ出力制御手段は、各部の制御を行うＣＰＵ５を有しており、ＣＰＵ５には、Ｉ−Ｖ変換器３の出力をディジタル信号に変換するＡ／Ｄコンバータ６と、情報の再生、消去または記録時における所定の半導体レーザの発光量の値が目標発光量として記憶されたＲＯＭ７と、後述する動作時に求められる再生のみが可能なデータ領域における目標発光量を記憶するＲＡＭ１５と、記録媒体からの反射光より得られる再生信号を基に媒体に記録された情報を再生する情報再生手段８とが接続されている。
【００３２】
そして、ＣＰＵ５から出力される情報再生時の半導体レーザ発光量（リードパワー）に相当する指示値をアナログ電圧値に変換するＤ／Ａコンバータ（ＤＡＣと略記する）(1) ９と、ＤＡＣ(1) ９の出力電圧を電流に変換して半導体レーザに供給する半導体レーザ駆動手段としてのＶ−Ｉ変換器１１とが設けられ、Ｖ−Ｉ変換器１１の出力電流を加算回路１３に入力するようになっている。また、ＣＰＵ５から出力される情報記録時の半導体レーザ発光量（ピークパワー）を得るための指示値をアナログ電圧値に変換するＤ／Ａコンバータ（ＤＡＣ）(2) １０と、ＤＡＣ(2) １０の出力電圧を電流に変換するＶ−Ｉ変換器１２とが設けられ、Ｖ−Ｉ変換器１２の出力電流をスイッチＳＷ３を介して加算回路１３に入力するようになっている。スイッチＳＷ３は、ＣＰＵ５の制御によって記録する情報の変調信号（記録データパルス）に応じてオン、オフするようになっている。
【００３３】
また、高周波電流を発生する高周波発振回路（ＨＦＭとも称する）１４が設けられ、高周波発振回路１４からの高周波電流出力がスイッチＳＷ２を介して高周波重畳手段となる加算回路１３に入力するようになっている。加算回路１３の出力端は、スイッチＳＷ１を介して半導体レーザ１に接続されており、加算回路１３で重畳された電流が駆動電流として半導体レーザ１へ供給されるようになっている。
【００３４】
本実施例の光学式情報再生装置において使用される光ディスクとして、部分エンボス形の光ディスクの記録面上の構成を図２を参照しながら説明する。
【００３５】
部分エンボス形の光ディスク５１には、記録面に複数のトラック５２が設けられ、所定のトラック数に分割されている。光ディスク５１は、図２の（ａ）に示すように、情報がピットで記録され情報の再生のみが可能な再生専用データ領域が形成された情報再生専用のトラック領域（トラック領域Ａと称する）と、光磁気方式等によって情報の記録と再生とが可能な記録再生用データ領域が形成された情報記録再生用のトラック領域（トラック領域Ｂと称する）とを有して構成されている。トラック領域Ａには、トラック上の各セクタにおいて、先頭部にセクタの開始マーク、トラック番号、セクタ番号等の情報がディスクの製造時にピットで形成されたヘッダ領域５３が設けられ、その後部にヘッダ領域と同様に情報がピットで記録され情報の再生のみが可能な再生専用データ領域５４が設けられている。トラック領域Ｂには、トラック上の各セクタにおいて、先頭部にトラック領域Ａと同様に情報がピットで形成されたヘッダ領域５３が設けられ、その後部にピットが形成されておらず光磁気方式等によって情報の記録（書換え）と再生とが可能な記録再生用データ領域（ユーザデータ領域とも称する）５５が設けられている。なお、再生専用のトラック領域Ａと記録再生用のトラック領域Ｂとは、記録面の反射率が同一のもので形成されている。
【００３６】
再生専用のトラック領域Ａより内周側の内周部５６は、図２の（ｂ）に示すように、内側から、フォーカス制御を行うフォーカスサーボを引き込むための全反射領域である鏡面部（ミラーゾーン）からなるフォーカス引き込み部５７と、トラッキング制御を行うトラッキングサーボを引き込むための複数のトラックが形成されたトラッキング引き込み部５８と、情報の書換え可能なトラック領域Ｂと同様のフォーマットを持つトラックを複数本有するテストゾーン５９と、ディスクの種類やフォーマット等の情報がピットにより記録されたコントロールゾーン６０とが設けられている。
【００３７】
半導体レーザ１を含むピックアップ部の構成を図３に示す。ピックアップ部は、可動部２１と固定部２２とを有するいわゆる分離光学系のピックアップで構成されている。スピンドルモータ２３によって回転駆動されるディスク２４に対向して、ディスク２４の半径方向に移動可能に可動部２１が設けられ、可動部２１には、レーザ光をディスク２４に向かって立ち上げる全反射プリズム２５、レーザ光をディスク上に収束させる対物レンズ２６、及び図示しないトラッキング及びフォーカシング用のアクチュエータが設けられている。固定部２２には、前述した半導体レーザ１及びフォトダイオード２、半導体レーザ１の出射光を平行光束とするコリメータレンズ２７、及び半導体レーザ１の出射光を透過及び反射して光束を分離するビームスプリッタ２８が設けられている。
【００３８】
このような構成のピックアップ部において、半導体レーザ１よりレーザ光を出射し、対物レンズ２６等によりレーザ光を収束させて形成したビームスポットを可動部２１を移動させてディスク２４（例えば部分エンボス形の光ディスク５１）上の目的のトラックに照射することによって、情報の記録、再生を行うようになっている。
【００３９】
次に、本実施例の半導体レーザ出力制御手段の動作を説明する。
【００４０】
情報再生時には、ＣＰＵ５は、スイッチＳＷ１をオンして半導体レーザ１を点灯可能な状態とし、ＲＯＭ７より情報再生時の半導体レーザ発光量（リードパワー）に相当する供給電流指示値（目標発光量の値）を読み出してＤＡＣ(1) ９に入力し、ＤＡＣ(1) ９の出力電圧をＶ−Ｉ変換器１１で電流に変換して駆動電流として半導体レーザ１へ供給する。また、このとき高周波重畳のためスイッチＳＷ２をオンして高周波発振回路１４からの高周波電流を半導体レーザ１へ供給する。そして、半導体レーザ１の出射光をフォトダイオード２で検出し、Ｉ−Ｖ変換器３，Ａ／Ｄコンバータ６を介して得られた発光量検出値を入力し、ＣＰＵ５はＡ／Ｄコンバータ６からの発光量検出値による実際の半導体レーザ発光量とＲＯＭ７からの目標発光量との誤差を演算してこの誤差がゼロとなるようにＤＡＣ(1) ９への出力値を変化させ、所定のリードパワーとなるよう半導体レーザ１の発光量の制御を行う。
【００４１】
情報記録時には、ＣＰＵ５は、さらに情報記録時の半導体レーザ発光量（ピークパワー）を得るための供給電流指示値をＲＯＭ７から読み出してＤＡＣ(2) １０に入力し、ＤＡＣ(2) １０の出力電圧をＶ−Ｉ変換器１２で電流に変換してスイッチＳＷ３を介して加算回路１３に入力する。このとき、記録する情報の変調信号（記録データパルス）に応じてＶ−Ｉ変換器１２の出力のスイッチＳＷ３をオン、オフし、記録データに応じて所定のピークパワー，ボトムパワーに強弱が変化するよう半導体レーザ１を発光させる。
【００４２】
本実施例では、情報再生時における半導体レーザの発光量の制御についてのみ詳しく説明する。
【００４３】
まず、第１段階として、初期設定のためのピックアップ移動動作を行う。
【００４４】
初期設定のためのピックアップ移動動作では、ピックアップ部の可動部２１を、ピックアップ部からのビームスポットが照射される部分がディスクのユーザデータ領域外となる位置に、例えばＩＳＯで規定された標準ディスクであれば最内周のトラックの無い位置（例えば部分エンボス形の光ディスク５１ではフォーカス引き込み部５７）に移動させる。
【００４５】
次に、第２段階として、情報再生用のＤＡＣ(1) ９への出力指示値（供給電流指示値）を求める。
【００４６】
第２段階では、まずＤＡＣ(1) ９，ＤＡＣ(2) １０をリセットして出力をゼロにした後、スイッチＳＷ１をオンしてＶ−Ｉ変換器１１の出力電流を半導体レーザ１に流すために半導体レーザ１とＶ−Ｉ変換器１１との間を接続する。そして、スイッチＳＷ２をオンし、高周波発振回路１４の出力の高周波電流を半導体レーザ１に供給する。
【００４７】
次いで、ＣＰＵ５は、ＲＯＭ７から情報再生時の半導体レーザ発光量（ＲP ）を読み出して、リードパワー設定用のＤＡＣ(1) ９へＲP に相当するビットデータＤR を転送する。すると、ＤＡＣ(1) ９の出力電圧はＶ−Ｉ変換器１１で電流に変換され駆動電流として半導体レーザ１に供給される。
【００４８】
ＣＰＵ５は、Ａ／Ｄコンバータ６の出力の発光量検出値（ＰR1）を読み出し、実際の半導体レーザの発光量と目標発光量との誤差であるＰR1−ＲP を演算し、誤差がゼロより大きければＤＡＣ(1) ９の指示値を減らし、誤差がマイナスであればＤＡＣ(1) ９の指示値を増加させる。ＤＡＣ(1) ９の指示値が増減されると半導体レーザ１に供給される電流も変化するので、半導体レーザの発光量も増減する。
【００４９】
そして、ＣＰＵ５は再度Ａ／Ｄコンバータ６の出力（ＰR2）を読み、誤差ＲP −ＰR2を演算する。ここで、誤差がゼロになれば、半導体レーザ１を所定の情報再生用のパワー（リードパワー）で発光させるために半導体レーザの特性に合わせて供給電流を増減させるＤＡＣ(1) ９への出力指示値の設定は終了する。一方、誤差がゼロにならなければ、誤差がゼロに収束するまでＤＡＣ(1) ９への指示値の増減を繰り返す。
【００５０】
第２段階のＤＡＣ（１）９への出力指示値の設定が終了した後は、ＣＰＵ５はＡ／Ｄコンバータ６の出力のモニタを一時停止する。
【００５１】
次に、第３段階として、情報再生用の発光量で半導体レーザを発光させた状態でフォーカスサーボ及びトラッキングサーボを引き込む。
【００５２】
第３段階では、まずＤＡＣ（１）９の設定が終了した後に、ＣＰＵ５はピックアップ部の図示しないフォーカス方向のアクチュエータを制御してディスクのフォーカス引き込み部５７上で半導体レーザからの照射光のビームスポットを自動的に合焦状態に調整するオートフォーカス動作を行い、フォーカスサーボをかける。
【００５３】
続いて、ピックアップ部の可動部２１をトラックエラー信号が検出でき始めるまでディスクの外周方向（トラッキング引き込み部５８の方向）に動かし、このトラッキング引き込み部５８の位置でトラッキングサーボをかける。
【００５４】
次に、第４段階として、装着されたディスクの種類を認識する。
【００５５】
第４段階では、トラッキングサーボをかけた状態で、ＣＰＵ５は情報再生手段８の出力の再生データからセクタの先頭のセクタマークを検出する。そして、セクタマークを検出後、ＣＰＵ５は情報再生手段８の再生データを継続して読み、ヘッダ領域中の再生データから現在再生しているセクタのＩＤ情報を認識する。ＩＤ情報が認識できると、ＣＰＵ５は現在レーザ光を照射しているトラックを認識することができる。
【００５６】
ＩＳＯ規格やＥＣＭＡ規格に準じたディスクの場合には、図２の（ｂ）に示したようにディスクの内周部にコントロールゾーン６０と呼ばれるディスクの情報が記録されたトラック領域が設けられている。ＣＰＵ５はトラッキング引き込み部５８において認識したトラック番号を基に現在レーザ光を照射中のトラックからコントロールゾーンまでのシーク本数を計算し、コントロールゾーン６０にピックアップを移動させる。
【００５７】
そして、コントロールゾーン６０の情報を読むことによって、装着されたディスクが部分エンボス形のディスクか、それ以外のディスクかなどディスクの種類が認識できる。認識されたディスクの種類に応じて、以降の処理で半導体レーザの再生用のパワーなどを最適な値に設定し、部分エンボス形のディスクの場合には記録再生用のデータ領域と再生専用のデータ領域のそれぞれの領域で異なった発光量制御を行う。
【００５８】
ここでは、部分エンボス形のディスクが装着された場合に限って以降の処理を説明する。
【００５９】
次に、第５段階として、情報の書換え可能な記録再生用データ領域５５において最適の発光量となるように、ＤＡＣ（１）９への出力指示値を更新する。
【００６０】
第５段階では、まずピックアップ部をディスクの内周部のテストゾーン５９に移動させ、情報の書換え可能なユーザデータ領域と同様にデータ領域にピットが無いテストゾーン５９のトラックに第２段階で設定した出力指示値による半導体レーザ１からのレーザ光を照射する。
【００６１】
そして、ＣＰＵ５は、情報再生手段８の出力の再生データからセクタマークを検出し、続いてヘッダ領域中の再生データからセクタのＩＤ情報を読む。
【００６２】
ＣＰＵ５は、第４段階でコントロールゾーン６０で読み取った装着ディスクのフォーマットに基づいて、セクタマークまたはＩＤ情報が記録されている位置から記録再生用データ領域（情報がピットで記録されていないデータ領域）５５の開始点までレーザ光のビームスポットが移動する時間を計算できるので、ＣＰＵ５は記録再生用データ領域５５の開始点に照射ビームが移動するまで所定の移動時間待ってからＡ／Ｄコンバータ６へサンプリングタイミング信号を出力し、Ａ／Ｄコンバータ６の出力の発光量検出値（ＰR3）を読む。そして、照射ビームが次のセクタのヘッダ領域に到達する所定時間経過すると次の記録再生用データ領域５５に移動するまでＡ／Ｄコンバータ６の出力のモニタを所定時間停止し、半導体レーザ１からのレーザ光が記録再生用データ領域５５を照射しているときのみ発光量検出を行うようにする。
【００６３】
なお、トラックがスパイラル状に形成されているディスクの場合には、照射ビームを特定のトラック上に維持するためにトラックジャンプ動作が必要である。ここで、トラックジャンプ動作を行う際の動作について図４を参照しながら説明する。
【００６４】
図４に示すように、隣のトラックにビームスポットを移動させるトラックジャンプ動作を行う場合には、ピックアップ部の移動中においてトラック間に形成されたグルーブにビームスポットが位置している期間Ｔ1 は、グルーブにおける回折の影響によって半導体レーザ１の出射光量の検出値であるＡ／Ｄコンバータ６の出力の発光量検出値（ＰR3）が低くなってしまう。すなわち、トラックジャンプ時には、照射ビームがグルーブを横切った際に起こるグルーブによる回折の影響によって、照射ビームが情報の記録再生が可能なデータ領域にあるときとは戻り光量が変わってしまい、正確な半導体レーザの発光量検出ができない。
【００６５】
本実施例では、前述のようにビームスポットがデータ領域に位置している期間にＡ／Ｄコンバータ６へサンプリングタイミング信号を出力して半導体レーザ１の出射光量を検出するが、このＡ／Ｄコンバータのサンプリング期間とトラックジャンプのタイミングとが重なるようになってしまった場合は、ＣＰＵ５はトラックジャンプの期間Ａ／Ｄコンバータ６へのサンプリング信号の出力を停止しておき、トラックジャンプが終了した次のセクタのＩＤ情報を読んで、次のデータ領域でサンプリングタイミング信号を出力して発光量検出値（ＰR3）を読むようにする。
【００６６】
このようにトラックジャンプ時にはＡ／Ｄコンバータ６のサンプリングを停止することによって、照射ビームがトラック間に形成されたグルーブを横切った際には、半導体レーザの発光量の検出をしないことになる。これにより、照射ビームがトラック間のグルーブを横切った際に、情報の記録再生が可能なデータ領域にオントラック中とは戻り光量が変化して半導体レーザの発光量としてデータ領域での値とは異なる値を検出してしまう不具合を防止することができ、正確な半導体レーザの発光量検出を行うことができる。
【００６７】
前述のようにＡ／Ｄコンバータ６の出力の発光量検出値（ＰR3）を読んだ後、ＣＰＵ５は、ＲＯＭ７内のデータテーブルから装着ディスクに応じた情報再生時の半導体レーザの目標発光量（ＲP ）を読み出してＰR3とＲP とを比較し、誤差があれば半導体レーザの発光量が目標発光量になるようにＤＡＣ（１）９への指示値を増減させる。
【００６８】
以上のように、半導体レーザの発光量検出のために行うＡ／Ｄコンバータ６の出力のモニタは、ディスクのフォーマットに基づいて期間を設定し行うようにしているため、記録再生用データ領域５５のみでＡ／Ｄコンバータ６の出力モニタができ、ピットのあるヘッダ領域等を確実に避けて半導体レーザの発光量を検出できる。
【００６９】
なお、Ａ／Ｄコンバータ６のサンプリングおよびＡ／Ｄコンバータ６の出力のＣＰＵ５による読み取りは、半導体レーザからの照射ビームがデータ領域にある間に複数回行って、その平均を算出して半導体レーザの発光量とするような処理を行っても良い。このような処理を行うことにより、ディスクの傷やノイズ等の外乱の影響を取り除くことができ、より正確な半導体レーザの発光量制御が可能になる。
【００７０】
記録再生用データ領域５５における半導体レーザの発光量検出値と目標発光量との誤差がゼロとなり、ＤＡＣ（１）９への出力指示値の更新が終了すると、ＣＰＵ５はＡ／Ｄコンバータ６の出力のモニタを再び停止する。
【００７１】
以後は、周囲温度の変化等により半導体レーザの特性が変化して半導体レーザの発光量と目標発光量との誤差が発生するのを防ぐため、図示しない光学式情報再生装置のホストコンピュータから情報の記録または再生の指示が来るまでは、ＣＰＵ５は所定の時間間隔で前述した第５段階におけるＤＡＣ（１）９への出力指示値の更新動作を繰り返す。
【００７２】
以上により初期状態の半導体レーザの発光量設定を行うイニシャル動作は終了する。
【００７３】
続いて第６段階として、ホストコンピュータから出力された情報再生の指示を受けた時の発光量制御に関する動作を説明する。
【００７４】
情報再生の指示がホストコンピュータから出され、ＣＰＵ５がこの再生指示を受けると、再生する情報が記録されたセクタのある目的のトラックが現在トラッキング中のトラックと異なる場合は、ＣＰＵ５は前述の第５段階において所定の時間間隔で行っているヘッダ領域を避けた半導体レーザの発光量の検出とＤＡＣ（１）９への指示値の更新動作を停止し、ＤＡＣ（１）９への出力指示値を保持したまま、所定の目的トラックへピックアップ部を移動させる。
【００７５】
なお、第５段階の終了時には半導体レーザからの照射ビームはテストゾーン５９にあるため、第６段階の初めでは半導体レーザからの照射ビームは記録再生用データ領域を有するテストゾーン５９のトラックに位置しているものとする。
【００７６】
本実施例では、現在トラッキング中のトラック及び移動先のトラックが、記録再生用データ領域を有する領域であるか再生専用データ領域を有する領域であるかによって、再生動作時に異なる発光量制御を行う。
【００７７】
［１］まず、現在トラッキング中のトラックが記録再生用データ領域（ユーザデータ領域）５５を有するトラック領域Ｂかあるいはテストゾーン５９にあって、移動先のトラックが同様にトラック領域Ｂである場合の動作について説明する。
【００７８】
この場合は、ピックアップ部の移動が完了しオントラックした後、ＣＰＵ５は、ヘッダ領域を避けてピットの無いデータ領域（ユーザデータ領域５５またはテストゾーンのデータ領域）で行うＡ／Ｄコンバータ６の出力のモニタによる半導体レーザの発光量の検出とＤＡＣ（１）９への指示値の更新動作を再開し、イニシャル動作の第５段階で行ったテストゾーン５９のトラックにおける発光量検出と同様のタイミングでＡ／Ｄコンバータ６の出力をサンプリングし、目標発光量との誤差がゼロに収束するようにＤＡＣ（１）９への出力指示値を更新する。そして、所定の時間間隔で前記ＤＡＣ（１）９への出力指示値の更新動作を繰り返す。
【００７９】
［２］次に、現在トラッキング中のトラックが記録再生用データ領域（ユーザデータ領域）５５を有するトラック領域Ｂかあるいはテストゾーン５９にあって、移動先のトラックが再生専用データ領域５４を有するトラック領域Ａである場合の動作について説明する。
【００８０】
この場合は、ピックアップ部の移動が完了しオントラックした後、ＣＰＵ５は、情報再生手段８の出力の再生データからセクタマークを検出し、続いてヘッダ領域中の再生データからセクタのＩＤ情報を読む。ＩＳＯ規格やＥＣＭＡ規格に準じたディスクの場合にはヘッダ領域とデータ領域との間にオフセット検出フィールドと呼ばれるピットの無い領域が設けられている。ＣＰＵ５は第５段階の最後に設定されたＤＡＣ（１）９の出力を保ったままで光ビームを発生させ、照射ビームが前記オフセット検出フィールドを通過して再生専用データ領域５４の開始点に移動するまで所定の移動時間待ってからＡ／Ｄコンバータ６へサンプリングタイミング信号を出力し、Ａ／Ｄコンバータ６の出力の発光量検出値（ＰR4）を読む。
【００８１】
なお、Ａ／Ｄコンバータ６のサンプリングおよびＡ／Ｄコンバータ６の出力のＣＰＵ５による読み取りは、半導体レーザからの照射ビームがデータ領域にある間に複数回行って、その平均を算出して半導体レーザの発光量とするような処理を行っても良い。このような処理を行うことにより、ディスクの傷やノイズ等の外乱の影響を取り除くことができ、半導体レーザの発光量の検出をより正確に行うことができる。
【００８２】
続いて、ＣＰＵ５は、ピットのある再生専用データ領域５４における発光量検出値である前記Ａ／Ｄコンバータ６の出力値（ＰR4）を、ＲＡＭ１５に情報再生専用のトラック領域Ａにおける目標発光量（ＲP'）として記憶する。
【００８３】
以後ＣＰＵ５は、半導体レーザからの照射ビームが再生専用のトラック領域Ａのトラックを照射しているときには発光量制御の目標発光量として、第５段階においてＲＯＭ７から読み出したＲP を使わないで、前記測定によって求めたＲP'を使用する。
【００８４】
トラック領域Ａでは、ピットでの回折の影響により戻り光がトラック領域Ｂのユーザデータ領域５５に比べて少ないため、駆動電流等を同じ条件にして半導体レーザを発光させトラックを照射しても再生専用データ領域５４で発光量検出を行うと戻り光の違いにより発光量の検出値が小さくなる。本実施例では、記録再生用のトラック領域Ｂのユーザデータ領域５５においてＲＯＭ７に記憶された目標発光量ＲP が得られる駆動電流と同じ値の電流を半導体レーザに供給し、このときの再生専用データ領域５４での発光量を目標発光量ＲP'として再生専用のトラック領域Ａにおける半導体レーザの発光量制御を行う。
【００８５】
目標発光量（ＲP'）がＲＡＭ１５に記憶されると、ＣＰＵ５は、ヘッダ領域を避けてデータ領域で行うＡ／Ｄコンバータ６の出力のモニタによる半導体レーザの発光量の検出とＤＡＣ（１）９への指示値の更新動作を再開し、イニシャル動作の第５段階で行ったテストゾーン５９のトラックにおける発光量検出と同様のタイミングでＡ／Ｄコンバータ６の出力をサンプリングし、目標発光量（ＲP'）との誤差がゼロに収束するようにＤＡＣ（１）９への出力指示値を更新する。そして、所定の時間間隔で前記ＤＡＣ（１）９への出力指示値の更新動作を繰り返す。
【００８６】
図５に、ピットの無いユーザデータ領域５５を有する記録再生が可能なトラック領域Ｂ（（ａ）参照）と、情報がピットで形成された再生専用データ領域５４を有する再生のみが可能なトラック領域Ａ（（ｂ）参照）のそれぞれのトラックにおける発光量検出値を示す。
【００８７】
情報がピットで形成されたヘッダ領域についてはトラック領域Ａとトラック領域Ｂとで同様であり、ピットによる回折のため戻り光がユーザデータ領域５５より少なくユーザデータ領域５５での発光量検出値（ＰR3）よりレーザ出射光量が小さくなる。なお、ヘッダ領域中の先頭部のセクタマークはピット長が再生専用データ領域より長いため、セクタマークでは回折の影響による戻り光がさらに少なくレーザ出射光量が小さくなる。また、オフセット検出フィールドにはピットが無いため戻り光が多くレーザ出射光量が大きくなる。
【００８８】
再生専用データ領域５４での発光量検出値（ＰR4）は、ヘッダ領域と同様にピットによる回折のため戻り光がユーザデータ領域５５より少なく、半導体レーザへの供給電流を同じにした場合にユーザデータ領域５５での発光量検出値（ＰR3）よりレーザ出射光量が小さくなる。再生専用データ領域５４では、戻り光量の違いによるレーザ出射光量の変化に応じて前記のように目標発光量をＲP からＲP'に変更して、Ａ／Ｄコンバータ６の出力の発光量検出値（ＰR4）と目標発光量（ＲP'）とを比較し誤差がゼロになるようにＤＡＣ（１）９への出力指示値を更新することによって発光量制御を行う。
【００８９】
このような発光量制御を行うと、ピックアップ部をトラック領域Ｂやテストゾーンからトラック領域Ａに移動させる程度の短時間で、装置内部の温度が変化して半導体レーザの特性が変化してしまうことはあり得ないので、半導体レーザへの供給電流はピックアップ部移動前のトラック領域Ｂやテストゾーンのトラックでの値と変わらないことになる。
【００９０】
前記のようにピットの有無による戻り光の影響によっては半導体レーザへの供給電流を変えないように目標発光量を変化させて制御することによって、トラック領域Ａから再び情報の記録再生が可能なトラック領域Ｂにピックアップ部を移動した場合でも、記録再生用データ領域に最適の半導体レーザの発光量を保つことができ、再度発光量を調整する制御を行う必要がない。
【００９１】
また、前記トラック領域Ａにおける目標発光量の設定のための半導体レーザの発光量測定は、ピット長が再生専用データ領域のピットより長くて回折の影響で左右される戻り光量が短ピットの再生専用データ領域とは異なっているヘッダ領域の先頭部のセクタマーク部と、ヘッダ領域とデータ領域の間のピットの無いオフセット検出フィールドとを避けて行うようにしているので、記録媒体より半導体レーザへの戻り光があっても、情報再生専用のトラック領域Ａを照射中の半導体レーザの発光量を正しく測定することができ、正しい目標発光量の設定が可能となる。
【００９２】
もし、トラック領域Ｂからトラック領域Ａへピックアップ部を移動した後、このトラック領域Ａで長時間連続して情報の再生を行った場合には、装置内部の温度が変化し、半導体レーザの特性が変わることがあり得る。
【００９３】
この場合でも、ＣＰＵ５によって所定の時間間隔でヘッダ領域を避けてデータ領域で行うＡ／Ｄコンバータ６の出力のモニタによる半導体レーザの発光量の検出とＤＡＣ（１）９への指示値の更新動作を行っているので、戻り光量の違いを補正した目標発光量（ＲP'）との誤差がゼロになるように半導体レーザの発光量の制御がなされる。
【００９４】
なお、前記のようにトラック領域Ａにおいて目標発光量を異ならせて半導体レーザの駆動電流が変化しないようにし、記録再生用データ領域において最適な発光量となるように半導体レーザの発光量制御を行うと、情報がピットで形成されたヘッダ領域や再生専用データ領域などにおいては最適な発光量との間に誤差が生じる場合があるが、情報がピットで形成された領域の情報再生は、カー効果を利用して微弱な信号再生を行う書換え可能なユーザデータ領域とは違い、戻り光の増減で信号を再生するため、発光量が低下してもＣ／Ｎが良い再生が行え、また発光量が増加しても情報ピットを劣化させることはないので読み取りマージンが大きく、ヘッダ領域や再生専用データ領域では少しくらいレーザ光の照射量が変化しても問題はない。
【００９５】
［３］次に、現在トラッキング中のトラックがトラック領域Ａにあって、移動先のトラックがトラック領域Ｂである場合の動作について説明する。
【００９６】
この場合は、トラック領域Ｂからの移動の場合と同様に、ＣＰＵ５は所定の時間間隔で行っているヘッダ領域を避けた半導体レーザの発光量の検出とＤＡＣ（１）９への指示値の更新動作を停止し、ＤＡＣ（１）９への出力指示値を保持したまま、所定の目的トラックへピックアップ部を移動させる。
【００９７】
続いて、ピックアップ部の移動が完了しオントラックした後、ＣＰＵ５は目標発光量を、トラック領域Ａで測定して求めたＲP'から、ＲＯＭ７に記憶された所定の情報再生時の半導体レーザ発光量（リードパワー）ＲP に戻し、ヘッダ領域を避けてデータ領域で行うＡ／Ｄコンバータ６の出力のモニタによる半導体レーザの発光量の検出とＤＡＣ（１）９への指示値の更新動作を再開し、イニシャル動作の第５段階で行ったテストゾーン５９のトラックにおける発光量検出と同様のタイミングでＡ／Ｄコンバータ６の出力をサンプリングし、目標発光量との誤差がゼロに収束するようにＤＡＣ（１）９への出力指示値を更新する。そして、所定の時間間隔で前記ＤＡＣ（１）９への出力指示値の更新動作を繰り返す。
【００９８】
［４］次に、現在トラッキング中のトラックがトラック領域Ａにあって、移動先のトラックが同様にトラック領域Ａである場合の動作について説明する。
【００９９】
この場合は、ピックアップ部の移動が完了しオントラックした後、ＣＰＵ５は、移動前のトラック領域Ａにおいて所定の時間間隔で行っていたヘッダ領域を避けたＡ／Ｄコンバータ６の出力のモニタによる半導体レーザの発光量の検出とＤＡＣ（１）９への指示値の更新動作を再開する。
【０１００】
このとき、Ａ／Ｄコンバータ６の出力による半導体レーザの発光量をサンプリングしてＤＡＣ（１）９への指示値の更新する際には、ピックアップ部の移動前後において共にデータ領域にはピットがあり、基本的に条件は同じであるため、検出値と比較する目標発光量はトラック領域Ｂからトラック領域Ａにピックアップ部を移動させた直後に測定して得たＲP'のままとする。
【０１０１】
ただし、ディスクの径方向の反射率等のばらつきはゼロではないため、径方向でディスクから半導体レーザへの戻り光量が変わって半導体レーザの発光量が変化し、前記ピットの有無による戻り光の影響を補正するための目標発光量ＲP'に径方向で誤差が発生する場合がある。トラック領域Ａがバンド単位でディスクの径方向に複数混在することがあり得るＥＣＭＡ規格に準じたディスクのような場合で、ピックアップ部の移動前後のトラックがあるバンドが互いに近接していないときには、ピックアップ部の移動が完了しオントラックした後、前述した記録再生用のトラック領域Ｂから再生専用のトラック領域Ａに移動するときに行ったようなＡ／Ｄコンバータ６の出力の発光量検出を行い、戻り光の影響を補正した目標発光量を再設定するようにしても良い。また、異なるバンドのトラックに移動する場合には必ず前記目標発光量の再設定を行うようにしても良い。これにより、より精度の高い発光量制御が可能になる。
【０１０２】
以上のように、本実施例によれば、ディスクの製造時に成形によって情報がピットで形成され情報の再生のみが可能なデータ領域と情報の記録と再生が可能なデータ領域の２種類のデータ領域が１枚のディスクに混在する部分エンボス形のディスクを用いる場合においても、記録媒体より半導体レーザへの戻り光があっても情報の書換えが可能なユーザデータ領域において最適の再生パワーとなるよう正しい発光量制御が可能であり、半導体レーザのパワーが高くなって記録済みのデータを劣化させたり、パワーが低くなって情報を誤って再生することが防止できる。
【０１０３】
また、ピックアップ部を情報の再生のみが可能なトラック領域Ａから記録再生の両方が可能なトラック領域Ｂへ移動させても、半導体レーザへの供給電流は変化しないように制御しているため、異なるデータ領域間でピックアップ部を移動した直後に半導体レーザへの供給電流を再調整する必要がなく、この再調整のための待ち時間が発生することはないため、記録時の転送レートの低下など装置の動作性能が低下することを防止できる。
【０１０４】
さらに、情報の再生のみが可能なデータ領域における発光量目標値を、記録再生が可能なデータ領域で発光量制御を行ったときの半導体レーザへの供給電流と同じ値の電流を供給して検出した発光量を基に設定することにより、装着されたディスクごとの反射率の違いやピットの成形のばらつきを含んだ状態で、情報再生専用のデータ領域における半導体レーザの目標パワーの設定を行うことができるため、装着ディスクに対応した適正な半導体レーザの目標発光量の設定を行うことが可能であり、媒体に応じた正しい発光量制御を行うことができる。
【０１０５】
図６は本発明の第２実施例に係る光学式情報再生装置における半導体レーザの出力制御手段の構成を示すブロック図である。
【０１０６】
第１実施例では、半導体レーザの出力制御手段として、光検出手段４の出力をＡ／Ｄコンバータ６でディジタル値に変換した半導体レーザの発光量と、ＲＯＭ７に記憶された目標発光量のデータまたは実際の測定で求めてＲＡＭ１５に記憶した目標発光量であるディジタル値とを、ＣＰＵ５でディジタル的に比較演算して、半導体レーザ１への供給電流量を設定する方法を用いた構成を示したが、第２実施例は、半導体レーザの発光量に相当する光検出手段の出力と、Ｄ／Ａコンバータ等によって構成される可変電圧電源による目標発光量に相当する電圧出力とを、コンパレータによってアナログ的に比較して半導体レーザへの供給電流量を設定する方法を用いた半導体レーザの出力制御手段の構成例である。
【０１０７】
本実施例の半導体レーザ出力制御手段は図６に示すような回路で構成されており、半導体レーザ１の出射光の一部を検出する光検出手段４の出力側には、この光検出手段４の出力と可変電圧電源３３の出力とを比較するコンパレータ(1) ３１と、前記光検出手段４の出力と所定の基準電圧３４とを比較するコンパレータ(2) ３２とが設けられている。
【０１０８】
そして、各部の制御を行うＣＰＵ３５が設けられ、情報の再生時等における半導体レーザの目標発光量の値が記憶されたＲＯＭ４２と、動作時に求められる再生のみが可能なデータ領域における目標発光量などを記憶するＲＡＭ４３と、記録媒体からの反射光より得られる再生信号を基に媒体に記録された情報を再生する情報再生手段８とが接続されている。
【０１０９】
前記ＣＰＵ３５は可変電圧電源３３と接続されており、この可変電圧電源３３の出力をＲＯＭ４２あるいはＲＡＭ４３に記憶された所定の目標発光量に相当する電圧値に設定するための設定信号を送出するようになっている。
【０１１０】
コンパレータ(1) ３１，(2) ３２の出力端には、それぞれアップダウンカウンタ(1) ３６，(2) ３７が接続されており、各コンパレータ(1) ３１，(2) ３２の出力に基づいてそれぞれのアップダウンカウンタ(1) ３６，(2) ３７はクロック信号発生部３８からのクロック信号をカウントするようになっている。アップダウンカウンタ(1) ３６の出力値は情報再生時の半導体レーザ発光量（リードパワー）に相当する値に、アップダウンカウンタ(2) ３７の出力値は情報記録時の半導体レーザ発光量（ピークパワー）を得るためのリードパワーへ加算する値にそれぞれなっている。
【０１１１】
また、コンパレータ(1) ３１の出力はＣＰＵ３５にも入力されるようになっており、ＣＰＵ３５からはアップダウンカウンタ(1) ３６へカウントを許可するイネーブル信号が送出されるようになっている。
【０１１２】
前記アップダウンカウンタ(1) ３６の出力端にはＤ／Ａコンバータ(1) ３９が接続され、情報再生時の半導体レーザ発光量に相当するアップダウンカウンタ(1) ３６の出力値がＤ／Ａコンバータ(1) ３９によってアナログ電圧値に変換されるようになっている。また、アップダウンカウンタ(2) ３７の出力端にはＤ／Ａコンバータ(2) ４０が接続され、情報記録時のピークパワーを得るための加算値であるアップダウンカウンタ(2) ３７の出力値がＤ／Ａコンバータ(2) ４０によってアナログ電圧値に変換されるようになっている。
【０１１３】
Ｄ／Ａコンバータ(1) ３９，(2) ４０はＶ−Ｉ変換器からなる駆動回路４１に接続されており、駆動回路４１によってＤ／Ａコンバータ(1) ３９，(2) ４０の出力電圧がそれぞれ電流に変換されて、情報再生時の半導体レーザの駆動電流と情報記録時のピークパワーを得るために加算する駆動電流とが生成されるようになっている。
【０１１４】
駆動回路４１の２つの出力のうち、情報再生時の半導体レーザの駆動電流は加算回路１３に直接入力され、情報記録時のピークパワーを得るために加算する駆動電流はスイッチＳＷ３を介して加算回路１３に入力されるようになっている。また、加算回路１３には高周波発振回路１４からの高周波電流出力がスイッチＳＷ２を介して入力されるようになっている。加算回路１３の出力端は、スイッチＳＷ１を介して半導体レーザ１に接続されており、加算回路１３で重畳された電流が駆動電流として半導体レーザ１へ供給されるようになっている。
【０１１５】
その他の部分は第１実施例と同様に構成されており、説明を省略する。
【０１１６】
第２実施例では、第１実施例と同様に情報再生時及び情報記録時においてそれぞれＣＰＵ３５の制御によりスイッチＳＷ１，ＳＷ２，ＳＷ３をオン、オフし、所定の発光量で半導体レーザ１を発光させると共に、半導体レーザ１の発光量を検出して目標発光量との誤差がゼロとなるように発光量制御を行う。
【０１１７】
本実施例においても、部分エンボス形のディスクを用いた場合の情報再生時における半導体レーザの発光量の制御についてのみ説明する。
【０１１８】
第１実施例と同様に、イニシャル動作として情報の記録と再生が可能なユーザデータ領域と同様のピットの無いデータ領域を有するテストゾーンにおいて、ユーザデータ領域に最適な発光量となるように発光量制御を行う。
【０１１９】
ＣＰＵ３５は、半導体レーザ１の発光量の検出とＤ／Ａコンバータ(1) ３９への入力値の更新とを行う際には、アップダウンカウンタ(1) ３６のイネーブル信号をオンし、カウントを許可する。
【０１２０】
このとき、コンパレータ(1) ３１は、光検出手段４から出力される半導体レーザ１の発光量検出値と、情報再生時における所定の目標発光量（ＲP ）に相当する電圧値に設定した可変電圧電源３３の出力（Ｖ1 ）とを比較し、光検出手段４で検出されたレーザ発光量に相当する電圧値と可変電圧電源出力（Ｖ1 ）との間に誤差がある場合には、コンパレータ(1) ３１の出力がオンとなる。コンパレータ(1) ３１の出力がオンすることにより、アップダウンカウンタ(1) ３６でクロック信号がカウントされアップダウンカウンタ(1) ３６の出力が変化する。
【０１２１】
アップダウンカウンタ(1) ３６の出力が変化すると、アップダウンカウンタ(1) ３６の出力変化に応じたＤ／Ａコンバータ(1) ３９の出力、および駆動回路４１の出力である半導体レーザ１への供給電流が変化するので、半導体レーザ１の発光量が変化する。
【０１２２】
そして、半導体レーザの発光量が目標発光量（ＲP ）と等しくなると、光検出手段４からの出力電圧と可変電圧電源出力（Ｖ1 ）との差がゼロになり、コンパレータ(1) ３１の出力がオフとなる。これにより、アップダウンカウンタ(1) ３６の出力はホールド状態になって、半導体レーザ１の発光量調整は終了する。
【０１２３】
このようなアナログ方式の構成においては、図６のアップダウンカウンタ(1) ３６のイネーブル信号を、第１実施例で示した図１のＡ／Ｄコンバータ６のサンプリングタイミングと同様に所定時間間隔でヘッダ領域を避けてオン／オフ制御することによって、前述のディジタル方式の場合と同様の効果が得られ、情報の記録再生が可能なユーザデータ領域やテストゾーンのデータ領域において最適な発光量となるように正しい発光量制御を行うことが可能となる。
【０１２４】
すなわち、情報の書換え可能なユーザデータ領域で半導体レーザの出射パワーを調整する際には、ＣＰＵ３５によりアップダウンカウンタ(1) ３６のイネーブル信号端子をヘッダ領域を避けてオンすると、光検出手段４からの出力電圧と、ＲＯＭ４２から読み出したユーザデータ領域における所定の目標発光量ＲP に相当する電圧値に設定した可変電圧電源出力（Ｖ1 ）との間に差があった場合には、その差がゼロになるまでアップダウンカウンタ(1) ３６の出力が変化し、アップダウンカウンタ(1) ３６の出力の変化に応じて、Ｄ／Ａコンバータ(1) ３９の出力及び駆動回路４１の出力である半導体レーザへの供給電流が変化し、半導体レーザ１の発光量が目標発光量になるよう再調整される。
【０１２５】
そして、光検出手段４からの出力電圧と可変電圧電源出力（Ｖ1 ）との差がゼロになり、コンパレータ(1) ３１の出力がオフになってアップダウンカウンタ(1) ３６の出力変化が停止すると、ＣＰＵ３５は、このときのアップダウンカウンタ(1) ３６の出力値（Ｄ1 ）をＲＡＭ４３に記憶する。
【０１２６】
以後は、装置内の温度の変化等により、半導体レーザの特性が変化して半導体レーザの発光量が変動するのを防ぐため、ＣＰＵ３５はアップダウンカウンタ(1) ３６のイネーブル信号端子をヘッダ領域を避けてオンし、光検出手段からの出力電圧と可変電圧電源出力（Ｖ1 ）との差がゼロになってコンパレータ(1) ３１の出力がオフしたときのアップダウンカウンタ(1) ３６の出力値（Ｄ1 ）を読んで、以前にＲＡＭ４３に記憶していた値と書き換える動作を所定の時間間隔で繰り返す。
【０１２７】
情報再生の指示を受けて記録再生用のトラック領域Ｂあるいはテストゾーンから情報再生専用のトラック領域Ａにピックアップ部を移動させる場合には、ＣＰＵ３５は移動前にアップダウンカウンタ(1) ３６のイネーブル信号端子をオフし、目標発光量に相当する可変電圧電源３３の出力を書換え可能なユーザデータ領域での値（Ｖ1 ）に保持した状態で所定の目的トラックへピックアップ部を移動させる。
【０１２８】
そして、ピックアップ部の移動が完了しトラック領域Ａにオントラックした後、ＣＰＵ３５はヘッダ領域を避けてアップダウンカウンタ(1) ３６のイネーブル信号をオンし、このときのアップダウンカウンタ(1) ３６の出力値と情報の書換え可能なユーザデータ領域でＲＡＭ４３に記憶したアップダウンカウンタ(1) ３６の出力値（Ｄ1 ）とを比較し、その差がゼロになるように可変電圧電源３３の出力を変化させる。ここで、ＣＰＵ３５はアップダウンカウンタ(1) ３６の出力値がＲＡＭ４３に記憶したユーザデータ領域での値Ｄ1 と等しくなったときの可変電圧電源３３の出力電圧（Ｖ2 ）を、情報再生専用のトラック領域Ａにおける目標発光量（Ｒp'）に相当する基準値とし、Ｖ2 を出力するための可変電圧電源３３への指示値をＲＡＭ４３に記憶する。
【０１２９】
以後ＣＰＵ３５は、半導体レーザからの照射ビームが情報がピットで形成された再生専用のトラック領域Ａのトラックを照射しているときには目標発光量としてＲp'を用い、ＲＡＭ４３に記憶した目標発光量Ｒp'の指示値に相当する電圧値に設定した可変電圧電源３３の出力（Ｖ2 ）と光検出手段４の出力とをコンパレータ(1) ３１で比較し、この差がゼロになるようにユーザデータ領域での場合と同様に発光量制御を行う。
【０１３０】
このようにピットの有無による戻り光の影響によっては半導体レーザへの供給電流を変えないように情報再生専用のトラック領域Ａでは目標発光量を変化させて制御することによって、前述のディジタル方式の場合と同様の効果が得られ、情報の記録再生が可能なユーザデータ領域において最適な発光量となる駆動電流で半導体レーザを発光させるように制御できる。
【０１３１】
情報再生専用のトラック領域Ａから記録再生用のトラック領域Ｂにピックアップ部を移動させる場合には、ＣＰＵ３５はアップダウンカウンタ(1) ３６のイネーブル信号端子をオフしてアップダウンカウンタ(1) ３６の出力を保持した状態で所定の目的トラックへピックアップ部を移動させた後、可変電圧電源３３への出力指示値をＲＡＭ４３に記憶した目標発光量Ｒp'の指示値から再びＲＯＭ４２から読みだした所定の目標発光量Ｒp の指示値に戻して可変電圧電源３３の出力電圧をＶ1 とする。そして、ヘッダ領域を避けるようアップダウンカウンタ(1) ３６のイネーブル信号を制御して光検出手段４からの出力電圧と可変電圧電源３３の出力電圧Ｖ1 とをコンパレータ(1) ３１で比較することによって半導体レーザの発光量制御を行う。
【０１３２】
このような発光量制御を行うことによって、前述のディジタル的な演算処理で発光量の制御を行った場合と同様の効果が得られ、情報再生専用のトラック領域Ａから再び情報の記録再生が可能なトラック領域Ｂにピックアップ部を移動した場合でも、情報の書換え可能なユーザデータ領域に最適の半導体レーザの発光量を保つことができ、再度発光量を調整する制御を行う必要がなく、半導体レーザのパワーが高くなって記録済みのデータを劣化させたり、パワーが低くなって情報を誤って再生したりすることを防止でき、さらに動作時に待ち時間が発生して装置の動作性能が低下することを防止できる。
【０１３３】
［付記］
（１）  セクタの開始マーク、トラック番号、セクタ番号等の情報が媒体製造時にピットで形成されたヘッダ領域とピットが無く情報の記録と再生の両方が可能なデータ領域とで構成される情報書換え可能な記録再生用のトラック領域と、前記ヘッダ領域と共にデータ領域の情報も媒体製造時にピットで形成され情報の書換えができない再生専用のトラック領域とが、１枚の媒体に混在する光学式記録媒体に対して情報の再生を行う光学式情報再生装置において、
前記再生専用のトラック領域を照射する際の半導体レーザの発光量の目標値を、前記記録再生用のトラック領域を照射する際の半導体レーザの発光量の目標値とは異なる値に設定するようにして、前記半導体レーザの発光量を所定の値に保つ発光量制御を行う半導体レーザ出力制御手段を備えた光学式情報再生装置。
【０１３４】
（２）  セクタの開始マーク、トラック番号、セクタ番号等の情報が媒体製造時にピットで形成されたヘッダ領域とピットが無く情報の記録と再生の両方が可能なデータ領域とで構成される情報書換え可能な記録再生用のトラック領域と、前記ヘッダ領域と共にデータ領域の情報も媒体製造時にピットで形成され情報の書換えができない再生専用のトラック領域とが、１枚の媒体に混在する光学式記録媒体に対して情報の再生を行う光学式情報再生装置において、
前記記録媒体にレーザ光を照射するための光源である半導体レーザの発光量の検出を、前記ヘッダ領域にレーザ光が照射されている期間中は停止し、前記ヘッダ領域の情報を再生してから所定時間後に前記記録再生用のトラック領域中のピットが無いデータ領域または前記再生専用のトラック領域中の情報がピットで形成されたデータ領域において前記半導体レーザの発光量検出を行うと共に、
前記再生専用のトラック領域を照射する際の半導体レーザの発光量の目標値を、前記記録再生用のトラック領域を照射する際の半導体レーザの発光量の目標値とは異なる値に設定するようにして、前記半導体レーザの発光量を所定の値に保つ発光量制御を行う半導体レーザ出力制御手段を備えた光学式情報再生装置。
【０１３５】
（３）  前記半導体レーザ出力制御手段は、前記再生専用のトラック領域を照射する際の半導体レーザの発光量の目標値を、ピットの有無による戻り光の影響を補正した値に設定し、前記再生専用のトラック領域において半導体レーザへ供給する駆動電流を前記記録再生用のトラック領域中のピットが無いデータ領域における値と同じ値に保持するように発光量制御を行う付記（１）に記載の光学式情報再生装置。
【０１３６】
この構成では、再生専用のトラック領域において半導体レーザへ供給する駆動電流を前記記録再生用のトラック領域中のピットが無いデータ領域における値と同じ値に保持するように発光量制御を行うことにより、光学ヘッドが再生専用のトラック領域と記録再生用のトラック領域との間を移動したときにピットの有無による戻り光の影響によって半導体レーザへの供給電流が変化することが無く、記録媒体より半導体レーザへの戻り光があっても情報の記録再生が可能なデータ領域において最適の再生パワーとなるよう発光量制御がなされる。
【０１３７】
（４）  前記半導体レーザ出力制御手段は、前記再生専用のトラック領域を照射する際の半導体レーザの発光量の目標値を、光学ヘッドを記録再生用のトラック領域から再生専用のトラック領域へ移動させた後に光学ヘッドの移動開始前に半導体レーザへ供給した駆動電流と同じ値の駆動電流を半導体レーザへ供給した状態で該半導体レーザの発光量を検出することによってピットの有無による戻り光の影響を検出し、この検出結果に基づいて値を設定する付記（１）に記載の光学式情報再生装置。
【０１３８】
この構成では、記録再生用のトラック領域における半導体レーザへの供給電流と同じ値の駆動電流を再生専用のトラック領域において半導体レーザへ供給してこのときの半導体レーザの発光量を検出し、ピットの有無による戻り光の影響を補正した発光量の目標値を設定することによって、装着された媒体ごとに反射率が異なったりピットの成形にばらつきがある場合などでも、再生専用のトラック領域における半導体レーザの発光量の目標値の設定を正確に行うことができる。
【０１３９】
（５）  前記半導体レーザ出力制御手段は、光学ヘッドを記録再生用のトラック領域から再生専用のトラック領域へ移動させた後に行う半導体レーザの発光量の検出を、ヘッダ領域の先頭部に設けられたセクタマーク部とヘッダ領域とデータ領域との間に設けられたオフセット検出フィールドとを避けてデータ領域において行うように再生専用のトラック領域のヘッダ領域の情報を再生してから所定時間経過後に発光量検出を行うことを特徴とする付記（４）に記載の光学式情報再生装置。
【０１４０】
この構成では、再生専用のトラック領域を照射する際の半導体レーザの発光量目標値の設定のための発光量検出を、ヘッダ領域の先頭部に設けられピット長が再生専用のトラック領域中のデータ領域のピットより長くて回折の影響で左右される戻り光量が短ピットのデータ領域とは異なっているセクタマーク部と、ヘッダ領域とデータ領域との間に設けられたピットの無いオフセット検出フィールドとを避けて行う。これにより、記録媒体より半導体レーザへの戻り光があっても、再生専用のトラック領域中のデータ領域を照射中の半導体レーザの発光量を正しく測定することができ、正しい目標発光量の設定が可能となる。
【０１４１】
【発明の効果】
以上説明したように本発明によれば、情報の書換えが可能な記録再生用データ領域と記録媒体製造時にピットで情報が形成され情報の書換えができない再生専用データ領域とが１枚の媒体中に混在している光学式記録媒体を用いた場合において、記録媒体より半導体レーザへの戻り光があっても情報の記録再生が可能なユーザデータ領域において最適の再生パワーとなるよう正しい発光量制御が可能であり、半導体レーザのパワーが高くなって記録済みのデータを劣化させたり、パワーが低くなって情報を誤って再生したりすることを防止でき、さらに動作時に待ち時間が発生して装置の動作性能が低下することを防止できる効果がある。
【図面の簡単な説明】
【図１】図１ないし図５は本発明の第１実施例に係り、図１は光学式情報再生装置における半導体レーザの出力制御手段の構成を示すブロック図
【図２】本実施例の装置で使用する部分エンボス形の光ディスクにおける記録面上の各領域の概略構成を示す説明図
【図３】ピックアップ部の構成を示す構成説明図
【図４】トラックジャンプ動作を行う際の発光量検出状態を示す動作説明図
【図５】記録と再生が可能なトラック領域Ｂと再生のみが可能なトラック領域Ａとにおける半導体レーザの発光量を示す動作説明図
【図６】本発明の第２実施例に係る光学式情報再生装置における半導体レーザの出力制御手段の構成を示すブロック図
【図７】出射光と戻り光が干渉するような装置を用いて半導体レーザへの戻り光量を変化させたときの半導体レーザのＩ−Ｐ特性を示す特性図
【図８】ディスク中の情報がピットで形成された再生専用のヘッダ領域とピットの無い記録再生可能なユーザデータ領域とにおける半導体レーザの出射光量の変化の一例を示す特性説明図
【符号の説明】
１…半導体レーザ
４…光検出手段
５…ＣＰＵ
６…Ａ／Ｄコンバータ
７…ＲＯＭ
８…情報再生手段
９，１０…Ｄ／Ａコンバータ
１１，１２…Ｖ−Ｉ変換器
１５…ＲＡＭ
５１…部分エンボス形の光ディスク
５３…ヘッダ領域
５４…再生専用データ領域
５５…記録再生用データ領域（ユーザデータ領域）
【図１】
0003771945.tif 000002
【図２】
0003771945.tif 000003
【図３】
0003771945.tif 000004
【図４】
0003771945.tif 000005
【図５】
0003771945.tif 000006
【図６】
0003771945.tif 000007
【図７】
0003771945.tif 000008
【図８】
0003771945.tif 000009